(57)【特許請求の範囲】
【請求項１】
ストロボ装置を発光させた撮影が可能な撮像装置であって、
入射した光に応じた信号を出力する撮像素子と、
前記撮像素子から出力された信号を増幅する増幅手段と、
前記増幅手段のゲインを設定する設定手段と、
前記ストロボ装置のメインコンデンサの電圧を検出する電圧検出手段と、
前記ストロボ装置の発光が可能な状態であることを表す情報を報知する報知手段と、
前記報知手段の制御を行う制御手段と、を備え、
前記設定手段は、前記メインコンデンサの充電によって前記電圧検出手段により検出される前記電圧が高くなるほど前記ゲインを低く設定し、
前記制御手段は、前記設定手段により設定される前記ゲインが所定の値以下になると、前記報知手段により前記情報を報知させることを特徴とする撮像装置。
【請求項２】
前記制御手段は、前記メインコンデンサの充電によって前記電圧検出手段により検出される前記電圧がフル充電電圧になると、前記報知手段に前記情報とは異なる情報を報知させることを特徴とする請求項１に記載の撮像装置。
【請求項３】
ストロボ装置を発光させた撮影が可能であって、入射した光に応じた信号を出力する撮像素子と、前記撮像素子から出力された信号を増幅する増幅手段と、前記ストロボ装置の発光が可能な状態であることを表す情報を報知する報知手段と、を有する撮像装置の制御方法であって、
前記増幅手段のゲインを設定する設定工程と、
前記ストロボ装置のメインコンデンサの電圧を検出する電圧検出工程と、
前記報知手段の制御を行う制御工程と、を備え、
前記設定工程では、前記メインコンデンサの充電によって前記電圧検出工程で検出される前記電圧が高くなるほど前記ゲインを低く設定し、
前記制御工程では、前記設定工程で設定される前記ゲインが所定の値以下になると、前記報知手段により前記情報を報知させることを特徴とする撮像装置の制御方法。
【請求項４】
請求項３に記載の撮像装置の制御方法の各工程をコンピュータに実行させることを特徴とするコンピュータプログラム。
【発明の詳細な説明】
【０００１】
【発明の属する技術分野】
本発明は、撮像装置、撮像装置の制御方法、及びコンピュータプログラムに関し、特に、ストロボ光を発光して被写体を撮影するのに用いて好適なものである。
【０００２】
【従来の技術】
従来から、内蔵ストロボ装置を備えたデジタルカメラが知られている。かかる内蔵ストロボ装置は、カメラの小型化を計るために閃光管に接続されているメインコンデンサの容量を大きくすることができず、そのガイドナンバーに限りがあり、上記ストロボ装置を用いて撮影した場合の撮影到達距離に限界があった。
【０００３】
【発明が解決しようとする課題】
上記の問題点を解決するために、撮像素子の感度を上げて（具体的には画像信号の信号レベルのゲイン値を上げて）ストロボ光の到達距離を達成していた。
【０００４】
しかしながら、ゲイン値を上げると撮像素子のノイズ成分も増幅することになり、撮影画像が汚くなってしまうという欠点があった。
【０００５】
本発明は、上記の問題点に鑑みてなされたものであり、ストロボ光を発光して被写体を撮影する際に、良質な撮影画像が得られるようにすることを目的とする。
【０００６】
【課題を解決するための手段】
本発明の撮像装置は、ストロボ装置を発光させた撮影が可能な撮像装置であって、入射した光に応じた信号を出力する撮像素子と、前記撮像素子から出力された信号を増幅する増幅手段と、前記増幅手段のゲインを設定する設定手段と、前記ストロボ装置のメインコンデンサの電圧を検出する電圧検出手段と、前記ストロボ装置の発光が可能な状態であることを表す情報を報知する報知手段と、前記報知手段の制御を行う制御手段と、を備え、  前記設定手段は、前記メインコンデンサの充電によって前記電圧検出手段により検出される前記電圧が高くなるほど前記ゲインを低く設定し、前記制御手段は、前記設定手段により設定される前記ゲインが所定の値以下になると、前記報知手段により前記情報を報知させることを特徴とする。
【０００７】
本発明の撮像装置の制御方法は、ストロボ装置を発光させた撮影が可能であって、入射した光に応じた信号を出力する撮像素子と、前記撮像素子から出力された信号を増幅する増幅手段と、前記ストロボ装置の発光が可能な状態であることを表す情報を報知する報知手段と、を有する撮像装置の制御方法であって、前記増幅手段のゲインを設定する設定工程と、前記ストロボ装置のメインコンデンサの電圧を検出する電圧検出工程と、前記報知手段の制御を行う制御工程と、を備え、前記設定工程では、前記メインコンデンサの充電によって前記電圧検出工程で検出される前記電圧が高くなるほど前記ゲインを低く設定し、前記制御工程では、前記設定工程で設定される前記ゲインが所定の値以下になると、前記報知手段により前記情報を報知させることを特徴とする。
【０００８】
本発明のコンピュータプログラムは、前記撮像装置の制御方法の各工程をコンピュータに実行させることを特徴とする。
【００１０】
【発明の実施の形態】
次に、添付の図面を参照しながら、本発明の実施の形態について説明する。
本実施の形態の撮影装置は、内蔵ストロボと、外付けの外部ストロボとを有している。
【００１１】
図１は、本実施の形態に係る撮影装置として配設されるデジタルカメラの構成を示すブロック図である。
図１において、１００はデジタルカメラを示しており、本実施の形態のデジタルカメラ１００は、レンズ系１０１、絞り・フィルター部等を含むメカ機構１０２、ＣＣＤ１０３、ＣＤＳ回路１０４、可変利得増幅器（ＡＧＣアンプ）１０５、Ａ／Ｄ変換器１０６、ＩＰＰ１０７、ＤＣＴ１０８、コーダー１０９、ＭＣＣ１１０、ＤＲＡＭ１１１、ＰＣカードインタフェース１１２、ＣＰＵ１２１、第１の表示部１２２、操作部１２３、第２の表示部１２４、ＳＧ（制御信号生成）部１２６、ＣＰＵ１２１の制御によりストロボの発光制御を行うストロボ制御部１４０、ストロボ制御部１４０によって制御されるカメラに内蔵された内蔵ストロボ充電・発光部１４１、外付けの外部ストロボの接続部１４２、バッテリ１２８、ＤＣ−ＤＣコンバータ１２９、ＥＥＰＲＯＭ１３０、フォーカスドライバ１３１、フォーカスパルスモータ１３２、ズームドライバ１３３、ズームパルスモータ１３４、及びモータドライバ１３５を具備して構成されている。
【００１２】
また、ＰＣカードインタフェース１１２を介して着脱可能なＰＣカード１５０が接続されている。さらに、ＩＰＰ１０７、ＤＣＴ１０８、ＭＣＣ１１０、ＣＰＵ１２１、及び第１の表示部１２２は、バス１７０によって接続されている。
【００１３】
レンズユニットは、レンズ系１０１と、絞り・フィルター部等を含むメカ機構１０２とからなり、メカ機構１０２に備えられているメカニカルシャッタは、２つのフィールドの同時露光を行う。
【００１４】
レンズ系１０１は、例えば、バリフォーカルレンズからなり、フォーカスレンズ系１０１ａとズームレンズ系１０１ｂとで構成されている。
【００１５】
フォーカスドライバ１３１は、ＣＰＵ１２１から供給される制御信号に従って、フォーカスパルスモータ１３２を駆動して、フォーカスレンズ系１０１ａを光軸方向に移動させる。
【００１６】
ズームドライバ１３３は、ＣＰＵ１２１から供給される制御信号に従って、ズームパルスモータ１３４を駆動して、ズームレンズ系１０１ｂを光軸方向に移動させる。
【００１７】
また、モータドライバ１３５は、ＣＰＵ１２１から供給される制御信号に従ってメカ機構１０２を駆動し、例えば、絞りの絞り値を設定する。
【００１８】
ＣＣＤ（電荷結合素子）１０３は、上記レンズユニット１０１、１０２を介して入力した映像を電気信号（アナログ画像データ）に変換する。
【００１９】
ＣＤＳ（相関２重サンプリング）回路１０４は、ＣＣＤ型撮像素子に対する低雑音化のための回路である。
【００２０】
また、ＡＧＣアンプ１０５は、ＣＤＳ回路１０４で相関２重サンプリングされた信号のレベルを補正するゲイン調整手段としての機能を有している。なお、ＡＧＣアンプ１０５のゲインは、ＣＰＵ１２１により、ＣＰＵ１２１が内蔵するＤ／Ａ変換器を介して設定データ（コントロール電圧）がＡＧＣアンプ１０５に設定されることにより設定される。
【００２１】
さらに、Ａ／Ｄ変換器１０６は、ＡＧＣアンプ１０５を介して入力したＣＣＤ１０３からのアナログ画像データをデジタル画像データに変換する。
すなわち、ＣＣＤ１０３の出力信号は、ＣＤＳ回路１０４およびＡＧＣアンプ１０５を介し、またＡ／Ｄ変換器１０６により、最適なサンプリング周波数（例えば、ＮＴＳＣ信号のサブキャリア周波数の整数倍）にてデジタル信号に変換される。
【００２２】
また、デジタル信号処理部であるＩＰＰ（Image Pre-Processor）１０７、ＤＣＴ（Discrete Cosine Transform）１０８、およびコーダー（Huffman Encoder/Decoder ）１０９は、Ａ／Ｄ変換器１０６から入力したデジタル画像データについて、色差（Ｃｂ、Ｃｒ）と輝度（Ｙ）に分けて各種処理、補正および画像圧縮／伸長のためのデータ処理を施す。
【００２３】
さらに、ＭＣＣ（Memory Card Controller）１１０は、圧縮処理された画像を一旦蓄えてＰＣカードインタフェース１１２を介してＰＣカード１５０への記録、或いはＰＣカード１５０からの読み出しを行う。
【００２４】
ＣＰＵ１２１は、例えば、ＥＥＰＲＯＭ１３０に格納されたプログラムに従って、ＤＲＡＭ１１１を作業領域として使用して、操作部１２３からの指示、或いは図示しないリモコン等の外部動作指示に従い、上記デジタルカメラ１００内部の全動作を制御する。具体的には、ＣＰＵ１２１は、撮像動作、自動露出（ＡＥ）動作、自動ホワイトバランス（ＡＷＢ）調整動作や、ＡＦ動作等の制御を行う。
【００２５】
また、カメラ電源は、例えば、Ｎｉ−Ｃｄ、ニッケル水素、リチウム電池等であるバッテリ１２８から、ＤＣ−ＤＣコンバータ１２９に入力され、デジタルカメラ１００内部に供給される。
【００２６】
第１の表示部１２２は、ＬＣＤ、ＬＥＤ、ＥＬ等で実現されており、撮影したデジタル画像データや、伸長処理された記録画像データ等の表示を行う。
【００２７】
操作部１２３は、機能選択、撮影指示、およびその他の各種設定を外部から行うためのボタンを備えている。また、この操作部１２３における操作状態や、後述のＡＦの結果や、ストロボの充電完了等を表示する第２の表示部１２４がデジタルカメラ１００に具備されている。さらに、ＥＥＰＲＯＭ１３０には、ＣＰＵ１２１がデジタルカメラ１００の動作を制御する際に使用する調整データ等が書き込まれている。
【００２８】
ストロボ制御部１４０は、デジタルカメラ１００に内蔵されている内蔵ストロボ、及びデジタルカメラ１００に外付けされる外部ストロボのうち、少なくとも何れか一方を選択するストロボ選択手段２００、上記ストロボ選択手段２００により選択されたストロボのメインコンデンサの充電電圧を検出する充電電圧検出手段２０１、上記ストロボ選択手段２００により選択されたストロボの放電管を発光させた後に、被写体からの反射光を測光し、測光した測光量が所定レベルに達した場合に上記ストロボ放電管の発光を停止させるストロボ調光部２０２、及びストロボ関係の信号をＣＰＵ１２１とやり取りするＣＰＵインターフェース（ＣＰＵ  Ｉ／Ｆ）２０３を備えている。
【００２９】
また、ストロボ調光部２０２は、図示しないが、被写体からのストロボ光の反射光を受光して電気信号に変換する受光部や、上記電気信号とＣＰＵ１２１により設定される調光値（基準値）とを比較して、上記電気信号が調光値より大となった場合にそれぞれのストロボ発光管の発光を停止させる比較部等を備える。
【００３０】
内蔵ストロボ充電・発光部１４１は、ストロボ制御部１４０と接続されている。
【００３１】
外部ストロボ１６０は、外部ストロボ接続部１４２を介してストロボ制御部１４０と接続されている。
【００３２】
上記内蔵ストロボ充電・発光部１４１は、図２のようにストロボ選択手段２００からの信号に基づき昇圧回路１によって充電されるメインコンデンサ２や、該メインコンデンサの充電電圧を検出する電圧検出回路３や、ストロボ選択手段２００からの発光制御信号に従ってストロボ光を発するストロボ発光回路４や、ストロボ制御部１４０と信号のやり取りを行うインターフェース(I／F)５を備える。
【００３３】
外部ストロボ１６０は、図２と同様に図３のような回路を備えている。図３において、図２と同一番号は同じ機能を示している。その他外部ストロボ１６０は、ストロボをコントロールするストロボＣＰＵ９、メインコンデンサ２の充電状態を表示する充電完了表示部６、外部ストロボの各種モードをセットする操作部７、及びその操作状態を表示する充電完了表示部８を備えている。
【００３４】
デジタルカメラ１００（ＣＰＵ１２１）は、被写体を撮像して得られる画像データを、ＰＣカード１５０に記録する記録モードと、ＰＣカード１５０に記録された画像データを表示する表示モードと、撮像した画像データを第１の表示部１２２に直接表示するモニタリングモード等を備えている。
【００３５】
図４は、上記ＩＰＰ１０７の具体的構成の一例を示す図である。
ＩＰＰ１０７は、図４に示す如く、Ａ／Ｄ変換器１０６から入力したデジタル画像データをＲ・Ｇ・Ｂの各色成分に分離する色分離部１０７１と、分離されたＲ・Ｇ・Ｂの各画像データを補間する信号補間部１０７２と、Ｒ・Ｇ・Ｂの各画像データの黒レベルを調整するペデスタル調整部１０７３と、Ｒ、Ｂの各画像データの白レベルを調整するホワイトバランス調整部１０７４と、ＣＰＵ１２１により設定されたゲインでＲ・Ｇ・Ｂの各画像データを補正するデジタルゲイン調整部１０７５と、Ｒ・Ｇ・Ｂの各画像データのγ変換を行うガンマ変換部１０７６と、ＲＧＢの画像データを色差信号（Ｃｂ、Ｃｒ）と輝度信号（Ｙ）とに分離するマトリックス部１０７７と、色差信号（Ｃｂ、Ｃｒ）と輝度信号（Ｙ）とに基づいてビデオ信号を作成し、第１の表示部１２２に出力するビデオ信号処理部１０７８とを備えている。
【００３６】
さらに、ＩＰＰ１０７は、ペデスタル調整部１０７３によるペデスタル調整後の画像データの輝度データ（Ｙ）を検出するＹ演算部１０７９と、Ｙ演算部１０７９で検出した輝度データ（Ｙ）の所定周波数成分のみを通過させる帯域      通過フィルター(ＢＰＦ)１０８０と、ＢＰＦ１０８０を通過した輝度データ（Ｙ）の積分値をＡＦ評価値としてＣＰＵ１２１に出力するＡＦ評価値回路１０８１と、Ｙ演算部１０７９で検出した輝度データ（Ｙ）に応じたデジタルカウント値をＡＥ評価値としてＣＰＵ１２１に出力するＡＥ評価値回路１０８２と、デジタルゲイン調整部１０７５によるゲイン調整後のＲ・Ｇ・Ｂの各画像データの輝度データ（Ｙ）を検出するＹ演算部１０８３と、Ｙ演算部１０８３で検出した各色の輝度データ（Ｙ）をそれぞれカウントして各色のＡＷＢ評価値としてＣＰＵ１２１に出力するＡＷＢ評価値回路１０８４と、ＣＰＵ１２１とのインターフェースであるＣＰＵインターフェース(ＣＰＵＩ／Ｆ)１０８５と、ＤＣＴ１０８とのインターフェースであるＤＣＴインターフェース(ＤＣＴＩ／Ｆ)１０８６等を備えている。
【００３７】
次に、ＡＦ制御について説明する。ＡＦ制御においては、シャッタ速度およびゲインが設定された後、フォーカスパルスモータ１３２が１ＶＤ期間に規定パルス駆動される。この規定パルス駆動の間に、ＩＰＰ１０７内で得られたデジタル映像信号が処理されて輝度信号が得られる。この輝度信号の高周波成分を積分してＡＦ評価値が求められ、このＡＦ評価値のピークが合焦位置となる。
【００３８】
次に、ストロボ撮影処理の動作について、図５のフローチャートを参照して説明する。
【００３９】
まず、レリーズボタンが半押しにされると（ステップＳ２０１）、事前に操作部１２３と第２の表示部１２４によって決定された使用ストロボが内蔵か、外付けか、両方かによって（ステップＳ２０２）、フラッグＦＬＧをそれぞれ１（ステップＳ２０３）、２（ステップＳ２０４）、３（ステップＳ２０５）とする。
【００４０】
そして、ストロボ選択手段２００の出力に応じてメインコンデンサ２を選択して充電を開始する（ステップＳ２０６、Ｓ２０７、Ｓ２０８）。
【００４１】
このステップＳ２０２、Ｓ２０３、Ｓ２０４、Ｓ２０５で行われる処理は、デジタルカメラ１００のコンピュータシステムにより構成される選択手段により行われる。
【００４２】
次に、上記フラッグＦＬＧの値に応じてガイドナンバーを算出して、ＡＧＣアンプ１０５のゲインを決定する。すなわち、ＦＬＧ＝１または２であれば、それぞれのガイドナンバーＧ1、Ｇ2に対応したゲインとし、ＦＬＧ＝３であれば合成ガイドナンバーを数１に基づいて算出する。
【００４３】
【数１】
0004890701.tif 000002
【００４４】
そして、上記算出した合成ガイドナンバーを対応したゲインとする（ステップＳ２０９）。
【００４５】
このステップＳ２０９で行われる処理は、デジタルカメラ１００のコンピュータシステムにより構成されるガイドナンバー検出手段及び撮像感度設定手段により行われる。
【００４６】
続いて、メインコンデンサ２の充電電圧を検出する回路である充電電圧検出手段２０１の出力に応じてＣＰＵ１２１は、ＳＧ部１２６を介してＣＣＤ１０３のＡＧＣアンプ１０５のゲインを図６のようにさらに変化させる（ステップＳ２１０）と共に、ゲインが所定の値となった時に、充電完了の表示を第２の表示部１２４或いは充電完了表示部６に表示する（ステップＳ２１１）。
【００４７】
このステップＳ２１０で行われる処理は、デジタルカメラ１００のコンピュータシステムにより構成される電圧検出手段及び撮像感度設定手段により行われる。
【００４８】
充電電圧が第１の所定電圧Ｖ1に達すると、ＣＰＵ１２１はＡＧＣアンプ１０５のゲインをＡに設定し、充電完了表示とストロボ光の到達距離を第２の表示部１２４に表示すると同時に、ストロボ装置（撮影に使用するストロボ）を発光可能状態とする（ステップＳ２１２）。さらに充電が進むと、図６のように充電電圧に連動してフル充電電圧（Ｖ2）までＡＧＣアンプ１０５のゲイン（Ｂ）を変え、第２の表示部１２４或いは充電完了表示部６の表示も変える。
【００４９】
このように、充電完了状態を表示するようにすれば、ユーザは、充電完了状態を把握することができ、どのような画質の写真撮影ができるかを容易に判断することができる。
【００５０】
また、上記ステップＳ２１１、Ｓ２１２で行われる処理は、デジタルカメラ１００のコンピュータシステムにより構成される充電完了表示手段により行われる。
【００５１】
次に、ＡＦ処理を行う（ステップＳ２１３）。このＡＦ処理の具体的な処理についての説明はストロボを選択して撮影を行う動作とは無関係なので、ここでは省略する。
【００５２】
そして、ＣＰＵ１２１は、上記レリーズキーが全押しされると（ステップＳ２１４）、選択されたストロボに発光制御信号を送出し、ストロボ発光管を発光させ、ストロボ撮影を行う（ステップＳ２１５）。
【００５３】
これにより、被写体にはストロボ光が照射される。そして、ストロボ光が照射されている間、ストロボ調光部２０２の受光部は、被写体からのストロボ光の反射光を受光して電気信号に変換して出力する。
【００５４】
これに応じて、ストロボ調光部２０２の比較部は、上記受光部から入力される電気信号と、ＣＰＵ１２１により設定される調光値（基準値）とを比較して上記電気信号が調光値より大となった場合にストロボ発光管の発光を停止させる。また、ＡＧＣアンプ１０５に設定されたゲイン値に応じて画像データのレベルが調整されることになる。
【００５５】
このステップＳ２１５で行われる処理は、デジタルカメラ１００のコンピュータシステムにより構成される選択手段により行われる。
【００５６】
そして、これと同時に、被写体に応じた画像データをＣＣＤ１０３で取込み、ＣＤＳ回路１０４、ＡＧＣアンプ１０５、Ａ／Ｄ変換器１０６、ＩＰＰ１０７、ＤＣＴ１０８、コーダー１０９、およびＭＣＣ１１０等を介して、画像データをＰＣカード１５０に記録する。
【００５７】
なお、ストロボ制御部１４０は、外部ストロボ接続部１４２に外付けの外部ストロボ１６０が接続された時には、内蔵ストロボ１４０でストロボ光を発光することを禁止するように制御する発光禁止手段としての機能も有している。
【００５８】
以上のように、本実施の形態では、小型の内蔵ストロボ充電・発光部１４１及び外付けの外部ストロボ１６０のうち、少なくとも何れか一方を選択し、選択したストロボのガイドナンバーに応じて撮像素子のゲイン値を設定するようにしたので、撮影の目的に合わせた画像を得ることが可能になる。
【００５９】
具体的には、小型の内蔵ストロボ充電・発光部１４１を使用する場合においては、画質を犠牲にしてもストロボ光の到達距離を伸ばすことが可能となり、即写性に富んだ撮影が可能となる一方、外付けの大型の外部ストロボ１６０を使用する場合には撮像素子のゲイン値を小さくにすることによって高画質の画像を得ることができる。さらに両方のストロボ１４１、１６０を選択した場合には撮像素子のゲイン値をさらに小さくにすることによってより高画質の画像を得ることができる。
【００６０】
また、内蔵ストロボ充電・発光部１４１及び外付けの外部ストロボ１６０に備えられたメインコンデンサ２の充電電圧に応じてゲイン値を変化させるようにしたので、外部ストロボ１６０や複数のストロボ１４１、１６０を撮影に使用するストロボとして選択した場合にも、多少画質を犠牲にしても即写性を上げることが可能であるとともに、メインコンデンサ２を十分に充電し、撮像素子のゲイン値を小さくすることによって一層高画質の画像を得ることができる。
【００６１】
なお、図６では充電電圧とＡＧＣアンプ１０５のゲインが連続的に連動するようになっているが、電圧検出回路内にコンパレータを用いて図７のようにＡ、Ｂ、Ｃ、Ｄと段階的に変えて、充電完了表示を１２４に段階的に表示してもかまわない。
また、上記実施の形態においては、内蔵ストロボ、外付けの外部ストロボをそれぞれ１機ずつ備えた構成のデジタルカメラについて説明したが、それぞれを複数台備えた場合であっても同様の制御を行うことができる。
【００６２】
（本発明の他の実施形態）
上述した実施形態の機能を実現するべく各種のデバイスを動作させるように、該各種デバイスと接続された装置あるいはシステム内のコンピュータに対し、上記実施形態の機能を実現するためのソフトウェアのプログラムコードを供給し、そのシステムあるいは装置のコンピュータ（ＣＰＵあるいはＭＰＵ）に格納されたプログラムに従って上記各種デバイスを動作させることによって実施したものも、本発明の範疇に含まれる。
【００６３】
また、この場合、上記ソフトウェアのプログラムコード自体が上述した実施形態の機能を実現することになり、そのプログラムコード自体、およびそのプログラムコードをコンピュータに供給するための手段、例えば、かかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００６４】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等と共同して上述の実施形態の機能が実現される場合にもかかるプログラムコードは本発明の実施形態に含まれることは言うまでもない。
【００６５】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【００６６】
【発明の効果】
上述したように本発明によれば、ストロボ光を発光して被写体を撮影する際に、良質な撮影画像を得ることが可能になる。
【００６７】
具体的には、画質を犠牲にしてもストロボ光の到達距離を伸ばして即写性に富んだ撮影を行うか、それとも撮像素子のゲイン値を小さくにすることによって良質の写真が得られる撮影を行うかの何れかを選択して撮影を行うことができる。さらに、複数のストロボを選択した場合には撮像素子のゲイン値をさらに小さくにすることによって最良質の写真を得ることができる。
【図面の簡単な説明】
【図１】本発明の実施の形態を示し、撮影装置の構成例を示したブロック図である。
【図２】本発明の実施の形態を示し、内蔵ストロボ充電・発光部の回路の一例を示したブロック図である。
【図３】本発明の実施の形態を示し、外付けの外部ストロボの回路の一例を示したブロック図である。
【図４】本発明の実施の形態を示し、デジタル信号処理部の具体的な構成の一例を示した図である。
【図５】本発明の実施の形態を示し、ストロボ撮影処理の一例を説明するフローチャートである。
【図６】本発明の実施の形態を示し、ストロボに備えられたメインコンデンサの充電電圧とＡＧＣアンプのゲイン値との関係の一例を示した図である。
【図７】本発明の実施の形態を示し、ストロボに備えられたメインコンデンサの充電電圧とＡＧＣアンプのゲイン値との関係の他の例を示した図である。
【符号の説明】
１  昇圧回路
２  メインコンデンサ
３  電圧検出回路
４  ストロボ発光回路
７  操作部
８  充電完了表示部
９  ストロボＣＰＵ
１００  デジタルカメラ
１０３  ＣＣＤ
１０５  ＡＧＣアンプ
１０７  デジタル信号処理部
１１１  ＤＲＡＭ
１２１  ＣＰＵ
１２３  操作部
１２４  第２の表示部
１２６  制御信号生成部
１３０  ＥＥＰＲＯＭ
１４０  ストロボ制御部
１４１  内蔵ストロボ充電・発光部
１４２  外部ストロボ接続部
１６０  外部ストロボ
２００  ストロボ選択手段
２０１  充電電圧検出手段
２０２  ストロボ調光部
【図１】
0004890701.tif 000003
【図２】
0004890701.tif 000004
【図３】
0004890701.tif 000005
【図４】
0004890701.tif 000006
【図５】
0004890701.tif 000007
【図６】
0004890701.tif 000008
【図７】
0004890701.tif 000009